(57)【特許請求の範囲】
【請求項１】
透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記シート破砕物が着色され、前記バックシートを介して前記第１吸収部が視認可能となっていることを特徴とする吸収性物品。
【請求項２】
前記第１吸収部が幅方向中央部に形成され、この第１吸収部の両側方に前記第２吸収部が形成されていることを特徴とする請求項１に記載の吸収性物品。
【請求項３】
透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記第１吸収部が幅方向中央部に形成され、この第１吸収部の両側方に前記第２吸収部が形成されていることを特徴とする吸収性物品。
【請求項４】
前記第１吸収部が、装着時に着用者の股下に位置する領域で幅方向に膨出して形成されていることを特徴とする請求項２又は３に記載の吸収性物品。
【請求項５】
前記第２吸収部が幅方向中央部に形成され、この第２吸収部の両側方に前記第１吸収部が形成されていることを特徴とする請求項１に記載の吸収性物品。
【請求項６】
透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記第２吸収部が幅方向中央部に形成され、この第２吸収部の両側方に前記第１吸収部が形成されていることを特徴とする吸収性物品。
【請求項７】
前記吸収体が、前記第１吸収部と前記第２吸収部で構成された下層吸収体と、この下層吸収体の上側に配設された前記シート破砕物を含まない上層吸収体からなる二層構造を有していることを特徴とする請求項１から６の何れか一項に記載の吸収性物品。
【請求項８】
透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記吸収体が、前記第１吸収部と前記第２吸収部で構成された下層吸収体と、この下層吸収体の上側に配設された前記シート破砕物を含まない上層吸収体からなる二層構造を有していることを特徴とする吸収性物品。
【請求項９】
透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記吸収体と前記バックシートが、前記第１吸収部と前記第２吸収部の境界に沿って形成される着色接着剤により接着されていることを特徴とする吸収性物品。
【発明の詳細な説明】
【技術分野】
【０００１】
本発明は、吸収性物品に関する。
【背景技術】
【０００２】
従来、吸収性物品として、おむつやおむつカバー、パンツなどの人体に装着される外装体の内側に取り付けて使用される吸収パッドが知られている。
このような吸収性物品は、通常、木材から生成したパルプを主原料とする吸収体を備えており、製造過程で発生する製品ロスから吸収体を取り出して再利用することは、環境負荷や製品コストの低減を図る上で有用である。例えば、特許文献１では、紙おむつの廃材粉砕物を吸収体として利用した衛生シートが提案されている。以下において、吸収性物品の製品ロスから回収される資材を回収資材と称する。
また、着用者に装着位置を案内する目印部を設けた吸収性物品が提案されている（例えば特許文献２）。
【先行技術文献】
【特許文献】
【０００３】
【特許文献１】特開２００１−３２８１９０号公報
【特許文献２】特開２００５−２１８６９４号公報
【発明の概要】
【発明が解決しようとする課題】
【０００４】
しかしながら、吸収性物品の製品ロスには、吸収体コアを構成するパルプや吸収性ポリマーだけでなく、吸収体コア以外の部材（例えばトップシートやバックシート等）を構成するポリシート、不織布、クレープ紙又は糸ゴム等の異物が含まれるため、パルプや吸収性ポリマーだけを回収資材として完全に分離することは容易でない。
したがって、上記特許文献１に記載の技術では、着色された異物が回収資材に混入する場合があるため、これを利用した製品の見栄えが悪くなる。また、回収資材に混入する異物は、パルプや吸収性ポリマーに比較して吸収性に乏しく、これを利用した吸収体の吸収性能が低下する虞がある。
さらには、パルプや吸収性ポリマーだけを回収資材として完全に分離しようとすると、資材の回収コストが嵩むために製品コストを効果的に低減することはできない。
このような事情から、回収資材を吸収体原料として有効に再利用することは困難とされている。
【０００５】
本発明は、上記課題を解決するためになされたもので、製品ロスからの回収資材を有効利用して製品コストを低減できるとともに、従来と同等の吸収性能を保持しうる吸収性物品を提供することを目的とする。
【課題を解決するための手段】
【０００６】
請求項１に記載の発明は、透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記シート破砕物が着色され、前記バックシートを介して前記第１吸収部が視認可能となっていることを特徴とする。
【０００９】
請求項２に記載の発明は、請求項１に記載の吸収性物品において、前記第１吸収部が幅方向中央部に形成され、この第１吸収部の両側方に前記第２吸収部が形成されていることを特徴とする。
請求項３に記載の発明は、透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記第１吸収部が幅方向中央部に形成され、この第１吸収部の両側方に前記第２吸収部が形成されていることを特徴とする。
【００１０】
請求項４に記載の発明は、請求項２又は３に記載の吸収性物品において、前記第１吸収部が、装着時に着用者の股下に位置する領域で幅方向に膨出して形成されていることを特徴とする。
【００１１】
請求項５に記載の発明は、請求項１に記載の吸収性物品において、前記第２吸収部が幅方向中央部に形成され、この第２吸収部の両側方に前記第１吸収部が形成されていることを特徴とする。
請求項６に記載の発明は、透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記第２吸収部が幅方向中央部に形成され、この第２吸収部の両側方に前記第１吸収部が形成されていることを特徴とする。
【００１２】
請求項７に記載の発明は、請求項１から６の何れか一項に記載の吸収性物品において、前記吸収体が、前記第１吸収部と前記第２吸収部で構成された下層吸収体と、この下層吸収体の上側に配設された前記シート破砕物を含まない上層吸収体からなる二層構造を有していることを特徴とする。
【００１３】
請求項８に記載の発明は、透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記吸収体が、前記第１吸収部と前記第２吸収部で構成された下層吸収体と、この下層吸収体の上側に配設された前記シート破砕物を含まない上層吸収体からなる二層構造を有していることを特徴とする。
【００１４】
請求項９に記載の発明は、透液性のトップシートと、不透液性のバックシートと、前記トップシートと前記バックシートとの間に介装される吸収体と、を備え、人体に装着される外装体に取り付けられて使用される吸収性物品であって、
前記吸収体が、吸収性物品の製造過程で発生する製品ロスから回収された資材を破砕した不透液性のシート破砕物を含み、当該吸収体の幅方向中心軸に対して線対称に長手方向に沿って形成される第１吸収部と、
前記シート破砕物を含まず、前記第１吸収部に、前記吸収体の幅方向に沿って並設された第２吸収部と、を有し、
前記吸収体と前記バックシートが、前記第１吸収部と前記第２吸収部の境界に沿って形成される着色接着剤により接着されていることを特徴とする。
【発明の効果】
【００１５】
本発明によれば、製品ロスからの回収資材を有効利用して製品コストを低減できるとともに、従来と同等以上の吸収性能を保持しうる吸収性物品が提供される。
【図面の簡単な説明】
【００１６】
【図１】実施形態に係る吸収性物品の装着時の状態を示す斜視図である。
【図２】実施形態に係る吸収性物品を下側から見た平面展開図で、
【図３】実施形態に係る吸収性物品を上側から見た平面展開図である。
【図４】実施形態に係る吸収体を下側から見た平面展開図である。
【図５】図３のＡ−Ａ線における断面図である。
【図６】変形例１に係る吸収体を下側から見た平面展開図である。
【図７】変形例２に係る吸収体を下側から見た平面展開図である。
【図８】吸収体とバックシートの接着態様の一例を示す図である。
【発明を実施するための形態】
【００１７】
以下、本発明の実施の形態を図面に基づいて詳細に説明する。なお、以下の説明では、本実施形態における吸収性物品を展開した状態において、装着時に人体（着用者）の腹側に位置する側を前、背側に位置する側を後、着用者と接触する側を上、着用者と接触する側の反対側を下とし、前後方向と上下方向との双方向に直行する方向を左右方向とする。
【００１８】
図１は、実施形態に係る吸収性物品の装着時の状態を示す斜視図である。
本実施形態の吸収性物品１は、例えば夜用又は長時間用の尿とりパッドであり、おむつやおむつカバー、パンツなどの人体に装着される外装体（図示略）に着脱・交換自在に取り付けられて使用される。
【００１９】
図１に示すように、吸収性物品１は、装着時に着用者の股部を腹側から背側にかけて覆うように形成されている。具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
背側部１２は、前後方向の長さが腹側部１１よりも長く形成されており、かつ、左右方向の幅が腹側部１１や股下部１３よりも幅広に形成されている。これにより、背側部１２によって着用者の背側を広く覆うことができるようになっている。
【００２０】
股下部１３の両側端縁は、腹側部１１から背側部１２にわたって、装着時に着用者の脚周りに位置する二つの脚周り部１４を形成する。この脚周り部１４、１４には、糸ゴム等の平面ギャザー用弾性部材７１（図２等参照）がそれぞれ配設されており、この平面ギャザー用弾性部材７１により平面ギャザーが形成されている。これにより、脚周り部１４が着用者の脚に伸縮自在にフィットするため横漏れを抑制できるとともに、着用者の身体の動きに追従できるため吸収性物品１がずれ難くなる。また、吸収性物品１が装着時に自然に湾曲するため、着用者の股下に立体ギャザー（後述）を密着させることができる。
【００２１】
図２は実施形態に係る吸収性物品を下側から見た平面展開図で、図３は実施形態に係る吸収性物品を上側から見た平面展開図である。図４は、実施形態に係る吸収体を下側から見た平面展開図である。図５は、図３のＡ−Ａ線における断面図である。
図２〜５に示すように、吸収性物品１は、装着時に着用者との接触面側（上側）となるトップシート２０、装着時に着用者との接触面と反対側（下側）となるバックシート３０、トップシート２０とバックシート３０との間に介装される吸収体４０、吸収体４０の幅方向両側に長手方向（前後方向）に沿って設けられる一対のギャザーシート５０、５０、及びバックシート３０の下面の腹側部１１に対応する位置に設けられる固定部材６０等を備えて構成される。
【００２２】
トップシート２０は、尿などの体液を速やかに透過させる透液性を有するシートであり、吸収体４０の上側を覆うように配設されている。透液性を有するシートとしては、例えば、ナイロン、ポリエチレンテレフタレート等の糸を平織り等したネット状のシート素材、多数の透孔を形成した多孔性シート材、ポリエチレンやポリプロピレンなどのフィルムシート材、透液性を有する織布、不織布等がある。特に、トップシート２０には不織布が適しており、ポリエチレンやポリプロピレンなどのオレフィン系、ポリエステル系、ポリアミド系等の合成繊維、レーヨンやキュプラなどの再生繊維、又は綿等の天然繊維を繊維素材として、スパンレース法、スパンボンド法、サーマルボンド法、メルトブローン法、ニードルパンチ法等の適宜の加工法によって加工した不織布を用いることができる。
【００２３】
バックシート３０は、体液が吸収性物品１の外部へ染み出したり、漏れ出したりするのを防ぐ不透液性（遮水性）を有するシートであり、吸収体４０の下側を覆うように配設されている。不透液性を有するシートとしては、例えば、ポリエチレンやポリプロピレン等からなるシート材がある。
また、バックシート３０は、ムレ防止の観点から透湿性を有することが好ましい。遮水性と透湿性とを具備するシート材としては、例えば、ポリエチレンやポリプロピレンなどのオレフィン系樹脂中に無機充填剤を溶媒混練してシートを成形した後、一軸又は二軸方向に延伸することにより得られる微多孔性シート材が好適に用いられる。また、その他にも、ポリエチレン等からなる遮水性を有するフィルムシートに、透湿性を有する不織布を積層したラミネート不織布を用いることができる。
【００２４】
図示を省略するが、バックシート３０の下面を覆うように、不透液性の不織布等からなる保護シートを設けるようにしてもよい。これにより、バックシート３０が傷つくのを防止できるとともに、適当なクロスライクさ（質感）が得られるため、見た目にムレ難さを与えることができ、さらには着用者の肌への負担を軽減することができる。
【００２５】
ギャザーシート５０、５０は、体液が横漏れするのを防止するためのシート（例えば不織布）であり、トップシート２０側において、吸収体４０の幅方向両側に長手方向（前後方向）に沿って、腹側部１１から背側部１２にわたって配設されている。ギャザーシート１４には、トップシート１１と同様の素材を用いることができるが、特に、ムレを防止するために秤量を抑えて通気性に優れた不織布を用いることが好ましい。さらに、ギャザーシート１４には、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
図５に示すように、ギャザーシート５０の幅方向外側縁部は、吸収体４０の側方において、トップシート２０及びバックシート３０の上面に固着されている。また、ギャザーシート５０の幅方向内側縁部は、ギャザーシート５０が起立できるように自由端となっており、長手方向（前後方向）に沿って糸ゴム等の立体ギャザー用弾性部材７２が配設されている。ギャザーシート５０が幅方向外側縁部を基端に起立することにより、着用者の体型に合わせて伸縮自在に変形可能な一対の立体ギャザーが形成される。
【００２６】
固定部材６０は、吸収性物品１を外装体に固定するための部材であり、バックシート３０の下面の腹側部１１に対応する位置に配設されている。固定部材６０としては、例えば、剥離紙を剥がすと粘着部分が露出する粘着テープを適用できる。
なお、固定部材６０は、粘着テープに限定されず、吸収性物品１を外装体に固定できる部材であれば任意であり、面ファスナ等を適用することもできる。ただし、着用者の身体の動きに追従して固定状態が保持されるように、できるだけやわらかい素材で構成するのが望ましい。
【００２７】
吸収体４０は、吸収性物品１の使用時に体液等の水様成分を吸収する部材であり、腹側部１１から股下部１３を通り背側部１２にわたって配設されている。吸収体４０は、例えばホットメルト型の接着剤によりバックシート３０に接着される。
吸収体４０は、綿やパルプなどの吸収性素材に高吸収性ポリマーを混入してなる吸収体コア４１が、透液性のクレープ紙４２により覆われて構成されている。なお、吸収体４０においては、クレープ紙４２に代えて、透液性の不織布や多孔性シート材で吸収体コア４１を覆うようにしてもよい。
【００２８】
吸収体コア４１を構成する高吸収性ポリマーとしては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００２９】
吸収体コア４１は、トップシート２０側に配置される上層吸収体４１１と、バックシート３０側に配置される下層吸収体４１２からなる二層構造となっている。上層吸収体４１１には体液を着用者の肌から素早く遠ざけ、着用者の不快感や肌への負担を軽減できる程度の吸収性能が要求され、下層吸収体４１２には体液を速やかに吸収するとともに逆戻りが生じることなく保持できる程度の吸収性能が要求される。上層吸収体４１１及び下層吸収体４１２の吸収性能は、吸収体コア４１を構成する吸収性素材と吸収性ポリマーの配合比率や、吸収性ポリマーの種類等によって適宜調整することができる。また、下層吸収体４１２においては、後述するシート破砕物ＲＳの添加量によっても吸収性能が左右される。
【００３０】
上層吸収体４１１は、バージンパルプとバージンポリマーからなるバージン資材で形成されている。ここで、バージン資材とは、当該吸収性物品１を製造するにあたって原料（例えば、バージンパルプの場合は木材）から新規に生成された資材であり、製品ロスから回収された資材（回収資材）が含まれていないことを意味する。
【００３１】
これに対して、下層吸収体４１２は、回収資材を利用して形成された第１吸収部４１２ａと、バージン資材で形成された第２吸収部４１２ｂとで構成されている。本実施形態では、回収資材に含まれる不透液性のシート等を分離することなく、吸収体４０用の資材として積極的に活用することで、回収資材の有効利用を図っている。
【００３２】
回収資材は、例えば、ベビー用紙おむつ、ベビー用尿とりパッド、介護用紙おむつ、介護用尿とりパッド、生理用ナプキン等の吸収性物品の製品ロスを所定の大きさに破砕してから、吸収性素材（パルプ）と吸収性ポリマーを分離して得られる。しかし、吸収性素材と吸収性ポリマーのみを分離することは困難なため、回収資材には、吸収性素材や吸収性ポリマーの破砕物だけでなく、不透液性のシート（例えばポリエチレンシート）、クレープ紙、不織布、又は糸ゴム等の破砕物が含まれる。
第１吸収部４１２ａに利用される回収資材としては、上述した素材を有する一般的な吸収性物品を破砕したものを適用できるが、第１吸収部４１２ａにおける局所的な液持ちを防止するためには、クレープ紙の混入量が少なく、不織布として撥水性のものを含む回収資材が好適である。
なお、第１吸収部４１２ａは、回収資材のみで形成してもよいし、回収資材とバージン資材を混合して形成してもよい。
【００３３】
図４に示すように、吸収体４０には、第１吸収部４１２ａが吸収体４０の幅方向中心軸ＡＸに対して線対称となるように長手方向に沿って、具体的には幅方向中央部に形成されており、第１吸収部４１２ａの両側方に第２吸収部４１２ｂが並設されている。第１吸収部４１２ａでは、回収資材に含まれる不透液性のシート破砕物ＲＳが長手方向に沿ってほぼ均一に散在している。
【００３４】
ここで、シート破砕物ＲＳ及び回収資材に含まれるその他の破砕物の形状は特に限定されないが、シート破砕物ＲＳについては、長方形や楕円形など短手方向と長手方向を有する形状とするのが望ましい。そして、シート破砕物ＲＳの長手方向が吸収体４０の長手方向に一致するように、シート破砕物ＲＳを配置する。
これにより、体液がシート破砕物ＲＳを伝って長手方向に拡散しやすくなるため、吸収体４０全体（特に体液が直接浸透しない腹側部１１や背側部１２）を有効利用することができる。
【００３５】
吸収性物品１において、トップシート２０、クレープ紙４２及び上層吸収体４１１を透過した尿等の体液は、第１吸収部４１２ａに散在する不透液性のシート破砕物ＲＳにより等方的に拡散される。そして、回収資材に含まれる不織布等を伝って第１吸収部４１２ａから側方に染み出た体液は、第２吸収部４１２ｂにおいて吸収され、保持されることとなる。このように、下層吸収体４１２を備えた吸収体４０では、体液が効率よく一様に拡散されるため、下層吸収体４１２をバージン資材で形成した場合に比較して、吸収速度が速くなる。
【００３６】
また、第１吸収部４１２ａは、第２吸収部４１２ｂとは視覚的に明らかに区別できる態様を有しており、吸収体４０の幅方向中央に第１吸収部４１２ａによって一本のラインが形成されている。このラインは、バックシート３０を介して着用者が視認可能となっている。
例えば、回収資材には、不透液性のシートや糸ゴム等のように着色がなされているものも多いので、このような回収資材を用いて第１吸収部４１２ａを形成すればよい。または、回収資材に混入している着色物の割合が低い場合、又は着色が統一されていない場合など、明確なラインが形成されない場合には、第１吸収部４１２ａを形成する回収資材又はバージン資材に予め着色を施すようにしてもよい。
【００３７】
第１吸収部４１２ａと第２吸収部４１２ｂで構成される下層吸収体４１２の製造方法としては、以下の製造方法が好適である。
例えば、バージン資材用と回収資材用の積繊ドラムを１つずつ用意し、吸収体４０の両側部に対応する領域に１つ目の積繊ドラムでバージン資材を積繊して第２吸収部４１２ｂを形成し、吸収体４０の中央部に対応する領域に２つ目の積繊ドラムで回収資材を積繊して第１吸収部４１２ａを形成することで、下層吸収体４１２を製造できる。
また例えば、積繊領域を３分割するパターリングを備えた１つの積繊ドラムを利用し、中央部に回収資材を積繊して第１吸収部４１２ａを形成するとともに、両側部にバージン資材を積繊して第２吸収部４１２ｂを形成することで、下層吸収体４１２を製造できる。
【００３８】
［実験例］
実施形態の吸収性物品１のように、吸収体４０の一部を回収資材からなる第１吸収部４１２ａで形成する場合、不透液性のシート破砕物ＲＳが含まれることによる吸収性能の低下が懸念される。そこで、第１吸収部４１２ａに添加するシート破砕物の添加量について検討した。
この実験例では、下層吸収体４１２に相当する吸収体を試験片とし、中央部（第１吸収部４１２ａに相当）に含まれるシート破砕物の添加量（吸収体全体に対するシート破砕物の割合（質量％））を０％（現行品、バージン資材からなる吸収体）、３％、５％、１０％、２０％とした。なお、試験片においては、シート破砕物の添加量による影響を調べるため、吸収体用のバージン資材にポリエチレンシートの破砕物を一様に混入して、吸収体の中央部を形成した。
【００３９】
これらの試験片に対して吸収性試験を行うに際し、試験片の長手方向及び幅方向中央部に、内径約４０ｍｍの土台付きの筒を載置し、土台部に錘を載せて、約０．０３ｋｇ／ｃｍ2の荷重をかけた。そして、この状態で１５０ｃｃの人口尿を注入したときの吸収速度、逆戻り、拡散性を評価した。また、１回目の人口尿を注入してから所定時間経過した後、さらに１５０ｃｃの人口尿を注入したときの吸収速度、逆戻り、拡散性を評価した。
【００４０】
吸収速度は、人口尿を注入してから、人口尿が完全に試験片に染み込むまでの時間（吸収時間）により評価した。
逆戻りは、人口尿を注入してから１０分後に、注入箇所にろ紙（１０ｃｍ×１０ｃｍ）を載せて０．０５ｋｇ／ｃｍ2の荷重を加え、１０秒後に負荷を取り除いて、吸収前後のろ紙の重量差により評価した。
拡散性は、人口尿を注入してから５分後に、試験片の長手方向に拡散した距離のうち、最も短い長さを拡散距離として測定することにより評価した。
測定結果を表１に示す。
【００４１】
【表１】
0005711491.tif 000002
【００４２】
表１に示すように、シート破砕物の添加量を３％、５％とした場合に、現行品に比較して２回目の吸収時間が明らかに短く、吸収速度が速くなった。吸収体の中央部に含まれるシート破砕物を介して液体が拡散しやすくなっているためと考えられる。一方、シート破砕物の添加量を１０％以上とした場合は、吸収速度は現行品と同等（有意差なし）となった。シート破砕物の添加量が多すぎると、液体の拡散が阻害されるためと考えられる。
また、シート破砕物の添加量を変化させても、逆戻り、拡散性はほとんど変化しなかった（有意差なし）。
これより、シート破砕物を添加しても現行品（シート破砕物の添加量０％）と同等以上の吸収性能が保持され、特に、シート破砕物の添加量を１０％未満、望ましくは５％以下とすることで、吸収体における吸収速度を向上できることが確認された。
【００４３】
このように、本実施形態の吸収性物品１では、吸収体４０（下層吸収体４１２）が、不透液性のシート破砕物ＲＳを含み、当該吸収体４０の幅方向中心軸ＡＸに対して線対称に長手方向に沿って形成される第１吸収部４１２ａと、シート破砕物ＲＳを含まず、第１吸収部４１２ａに並設された第２吸収部４１２ｂと、を有している。具体的には、第１吸収部４１２ａが吸収体４０の幅方向中央部に形成され、この第１吸収部４１２ａの両側方に第２吸収部４１２ｂが形成されている。
また、第１吸収部４１２ａに含まれるシート破砕物ＲＳに、製造過程で発生する製品ロスから回収された資材を破砕したものを利用している。
【００４４】
吸収性物品１では、シート破砕物ＲＳの不透液性により、吸収体４０に浸透した体液が一様に拡散し、吸収体４０における吸収速度が速くなるので、体液を効率よく吸収、保持することができる。また、吸収された体液の逆戻りや漏れの点でも、現行品と同等以上の吸収性能が実現される。
また、回収資材を材質ごとに分離する必要がないので、高いリサイクル率を実現でき、回収コストが低減される。したがって、回収資材の再利用により確実に製品コストを低減することができる上、環境負荷の低減にも寄与できる。
すなわち、吸収性物品１によれば、製品ロスからの回収資材を有効利用して製品コストを低減できるとともに、従来と同等の吸収性能を保持しうる吸収性物品が提供される。
【００４５】
また、本実施形態では、シート破砕物ＲＳが着色され、バックシート３０を介して第１吸収部４１２ａが視認可能となっている。
これにより、吸収性物品１を外装体に装着するときの当て方ミスを防止することができる。具体的には、着用者は、第１吸収部４１２ａによって形成されたラインを目安とすることで、外装体の所定の位置に吸収性物品１を容易に装着することができる。
なお、第１吸収部４１２ａによって装着時の目安ラインを形成する場合、ラインの視認性を高めるために、バックシート３０を白色で白色度の低いものとするのが望ましい。また、第１吸収部４１２ａの幅は、装着時の目安ラインとしての機能を発揮させるため、腹側部１１及び股下部１３における吸収体４０の全体幅の１／３以下とするのが望ましい。
【００４６】
また、本実施形態では、吸収体４０が、第１吸収部４１２ａと第２吸収部４１２ｂで構成された下層吸収体４１２と、この下層吸収体４１２の上側に配設されたシート破砕物ＲＳを含まない（バージン資材で形成された）上層吸収体４１１からなる二層構造を有している。
これにより、吸収体４０にシート破砕物ＲＳ等の着色物が含まれることで、尿色の視認性が低下するのを防止できる。つまり、着用者は、上層吸収体４１１において尿色を確実に視認できるので、尿色によって健康状態を確認することができる。また、吸収体４０に回収資材が含まれていると、バージン資材だけで形成した場合に比較して少なからず肌触りが低下し、着用者に不快感を与える虞があるが、バージン資材だけで形成された上層吸収体４１１を備えることにより、かかる問題を解消できる。
【００４７】
［変形例１］
図６は、変形例１に係る吸収体を下側から見た平面展開図である。
変形例１の吸収体４０では、回収資材を利用した第１吸収部４１３ａが、装着時に着用者の股下に位置する領域（股下部１３に対応する領域）で幅方向に膨出して略円形状に形成されている。
これにより、股下部１３において回収資材を利用した第１吸収部４１３ａの面積が広くなるので、排尿直後の拡散効果が高まり、吸収性能が向上する。また、吸収性物品１の装着時に、幅方向の装着位置だけでなく、長手方向の装着位置の目安になるため、装着ズレを効果的に防止することができる。さらには、実施形態に比較して回収資材が多く利用されることになるので、リサイクル率が高まり、その分製品コストを低減することができる。
【００４８】
［変形例２］
図７は、変形例２に係る吸収体を下側から見た平面展開図である。
変形例２の吸収体４０では、バージン資材で形成された第２吸収部４１４ｂが吸収体４０の幅方向中央部に形成されており、この第２吸収部４１４ｂの両側方に回収資材を利用した第１吸収部４１４ａが並設されている。すなわち、実施形態と比較すると第１吸収部と第２吸収部の配置が逆になっている。
これにより、実施形態に比較して回収資材が多く利用されることになるので、リサイクル率が高まり、その分製品コストを低減することができる。また、第２吸収部４１４ｂによって目安ラインが形成されるので、装着時の利便性が損なわれることはない。
なお、変形例２の吸収体４０においては、体液が第２吸収部４１４ｂで速やかに吸収され、側方から第１吸収部４１４ａに染み出した後、第１吸収部４１４ａの内部で拡散されることとなる。
【００４９】
以上、本発明者によってなされた発明を実施形態に基づいて具体的に説明したが、本発明は上記実施形態に限定されるものではなく、その要旨を逸脱しない範囲で変更可能である。
例えば、図８に示すように、第１吸収部４１２ａと第２吸収部４１２ｂの境界に沿って形成される着色接着剤８０により、吸収体４０とバックシート３０を接着するようにしてもよい。これにより、装着時の目安ラインを際立たせることができるので、視認性が高まるとともに、デザイン性に優れた製品となる。
【００５０】
また、回収資材で形成される第１吸収部とバージン資材で形成される第２吸収部の配設態様は、実施形態で例示した態様に限定されず、例えばデザイン性を重視して積繊パターンを変更してもよい。すなわち、回収資材で形成される第１吸収部が、吸収体の幅方向中心軸に対して線対称に長手方向に沿って形成されていれば、浸透した体液をシート破砕物によって効率よく拡散させることができる。なお、「吸収体の幅方向中心軸に対して線対称」とは、第１吸収部の形状や配置態様の微差により厳密には線対称となっていない場合も含まれる。例えば、第１吸収部と第２吸収部との境界線が曲線状となっていたり、第１吸収部又は第２吸収部が幅方向中心軸に関して左右に若干ずれて配置されたりしていてもよい。
【００５１】
本発明は、夜用又は長時間用の尿とりパッドに限定されるものではなく、例えば、ベビー用紙おむつ、介護用紙おむつ、又は生理用ナプキン等の一般的な吸収性物品に適用可能である。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  吸収性物品
１１  腹側部
１２  背側部
１３  股下部
１４  脚周り部
２０  トップシート
３０  バックシート
４０  吸収体
４１  吸収体コア
４２  クレープ紙
４１１  上層吸収体
４１２  下層吸収体
４１２ａ  第１吸収体
４１２ｂ  第２吸収体
５０  ギャザーシート
６０  固定部材
７１  平面ギャザー用弾性部材
７２  立体ギャザー用弾性部材
ＲＳ  シート破砕物
【図１】
0005711491.tif 000003
【図２】
0005711491.tif 000004
【図３】
0005711491.tif 000005
【図４】
0005711491.tif 000006
【図５】
0005711491.tif 000007
【図６】
0005711491.tif 000008
【図７】
0005711491.tif 000009
【図８】
0005711491.tif 000010